(57)【要約】【課題】ユーザの手を煩わせることなく、ユーザの嗜好に合う番組を自動的に抽出し、録画することができる録画制御装置を提供する。【解決手段】録画された番組の情報を解析し、嗜好情報を抽出する録画番組解析部と、録画番組解析部が抽出した嗜好情報に基づき、嗜好情報ごとに嗜好度を設定する嗜好推定部と、嗜好推定部が設定した嗜好度が設定された条件となる嗜好情報を、録画対象の番組を検索する際の嗜好情報とし、受信する番組のうち、録画対象の番組を検索する際の嗜好情報と合致する嗜好情報を有する番組のデータを録画対象とする演算部とを備えた。【選択図】図１
2015220541.tif 000002
【特許請求の範囲】
【請求項１】
番組のデータを受信する録画制御装置であって、
録画された番組の情報を解析し、嗜好情報を抽出する録画番組解析部と、
前記録画番組解析部が抽出した前記嗜好情報に基づき、前記嗜好情報ごとに嗜好度を設定する嗜好推定部と、
前記嗜好推定部が設定した前記嗜好度が設定された条件となる前記嗜好情報を、録画対象の番組を検索する際の嗜好情報とし、前記受信する番組のうち、前記録画対象の番組を検索する際の嗜好情報と合致する嗜好情報を有する前記番組のデータを録画対象とする演算部
とを備えた録画制御装置。
【請求項２】
前記演算部は、
指示情報に応じて前記抽出した録画対象の番組を保護し、保護対象外の番組を削除する
ことを特徴とする請求項１記載の録画制御装置。
【請求項３】
前記嗜好推定部は、
指示情報に応じて前記嗜好度を変更する
ことを特徴とする請求項１または請求項２記載の録画制御装置。
【発明の詳細な説明】
【技術分野】
【０００１】
この発明は、番組のデータを受信し、受信した番組を視聴および録画することができる録画制御装置に関するものである。
【背景技術】
【０００２】
テレビ放送において、電波やネットワークの回線使用効率が向上し、多チャンネル化が進んでいる。また、放送サービスも、例えば、地上デジタル放送、衛星デジタル放送、多チャンネル放送、ＩＰネットワークを使用した映像配信サービスと多様化している。
このようにユーザは膨大な番組を利用することができる一方で、嗜好に合う番組を見つけ出すことが困難になっている。
そこで、従来技術において、テレビ放送の番組内容を説明する電子番組表（ＥＰＧ）からキーワードを用いて自動検索する方法や、外部サーバにてユーザの嗜好情報を取得し、ユーザに番組を推薦する方法が開示されている。例えば、特許文献１では、ユーザが検索したいキーワードをあらかじめ登録しておき、サーバにてユーザの嗜好を示すキーワードを基準にしてユーザの嗜好に合う番組を検索し、録画することが開示されている。また、特許文献２では、サーバにて、表示端末を使用しているユーザの嗜好情報を取得し、現在視聴中の番組と、同時刻の別番組を同期あるいは前もって別途受信するとともに、これら番組をあらかじめ定める解析方法でユーザ嗜好情報との相関を評価することで嗜好適合度を求め、視聴中の番組よりも他の番組の嗜好適合度が高くなった場合に当該番組を推薦番組と表示端末に送付することが開示されている。
【先行技術文献】
【特許文献】
【０００３】
【特許文献１】特開２０００−２０１３３８号公報
【特許文献２】特開２０１３−１４１０５０号公報
【発明の概要】
【発明が解決しようとする課題】
【０００４】
しかしながら、特許文献１に開示されているような技術では、サーバにて番組表からキーワード検索することにより、ユーザの嗜好に合う番組を録画することが可能となっているが、ユーザがあらかじめ嗜好を示すキーワードを入力する必要があるため、自動的に嗜好に合う番組の抽出を行うことができず、操作も煩雑であるという課題があった。また、特許文献２に開示されているような技術では、視聴中の番組よりもユーザの嗜好にあった番組を提示するものであって、必ずしもユーザが好む番組を自動で抽出できているとは言い得ないという課題があった。
【０００５】
この発明は、このような課題を解決するものであり、ユーザの手を煩わせることなく、ユーザの嗜好に合う番組を自動的に抽出し、録画することができる録画制御装置を提供するものである。
【課題を解決するための手段】
【０００６】
この発明は、番組のデータを受信する録画制御装置であって、録画された番組の情報を解析し、嗜好情報を抽出する録画番組解析部と、録画番組解析部が抽出した嗜好情報に基づき、嗜好情報ごとに嗜好度を設定する嗜好推定部と、嗜好推定部が設定した嗜好度が設定された条件となる嗜好情報を、録画対象の番組を検索する際の嗜好情報とし、受信する番組のうち、録画対象の番組を検索する際の嗜好情報と合致する嗜好情報を有する番組のデータを録画対象とする演算部とを備えたものである。
【発明の効果】
【０００７】
この発明によれば、ユーザの手を煩わせることなく、ユーザの嗜好に合う番組を自動的に抽出し、録画することができる。
【図面の簡単な説明】
【０００８】
【図１】この発明の実施の形態１に係る録画制御装置の構成図である。
【図２】この発明の実施の形態１に係る録画制御装置による自動録画の動作を説明するフローチャートである。
【図３】ユーザ嗜好情報記憶装置に収録されている項目の一例を示す図である。
【図４】番組情報記憶装置に記憶された番組情報の一例を説明する図である。
【図５】この発明の実施の形態２に係る録画制御装置による自動録画、および、自動録画した番組に対するユーザの嗜好度反映の動作を説明するフローチャートである。
【図６】自動録画番組リストの一例を説明する図である。
【発明を実施するための形態】
【０００９】
以下、この発明の実施の形態について、図面を参照しながら詳細に説明する。
実施の形態１．
図１は、この発明の実施の形態１に係る録画制御装置１００の構成図である。
なお、この実施の形態１において、録画制御装置１００は、一例として、インターネット等または特定のネットワーク上の番組配信サーバ１０１等からＦＴＴＨ等によるアクセス網通信技術を利用したブロードバンド回線によって配信されるＩＰパケット化されたＩＰ放送、地上デジタル放送ＩＰ再送信、およびＢＳデジタル放送ＩＰ再送信等の映像や音声データなどの番組データを復調し外部表示装置１０２へ映像および音声を出力する端末であるＩＰ−ＳＴＢ（ＩＰセットトップボックス）とする。
【００１０】
録画制御装置１００は、図１に示すように、データ受信部１０３と、演算部１０４と、入力Ｉ／Ｆ１０６と、映像音声出力Ｉ／Ｆ１０７と、番組情報記憶装置１０９と、録画番組解析部１１０と、ユーザ嗜好情報記憶装置１１１と、嗜好推定部１１２と、録画Ｉ／Ｆ１１３とを備える。
【００１１】
データ受信部１０３は、ＬＡＮコネクタおよびＰＨＹ  ＩＣにより構成され、番組配信サーバ１０１から配信されるＩＰパケット化された番組データを受信し、デジタルデータに変換する。変換されたデジタルデータは、演算部１０４へ送られる。
番組情報記憶装置１０９は、番組配信サーバ１０１より送信される、例えば、今後１週間に放送される予定の番組のタイトル、ジャンル、出演者等のキーワードを含んだ番組情報をデータ受信部１０３、演算部１０４を介して受信し、記憶する。なお、ここでは、番組情報記憶装置１０９は、録画制御装置１００の内部に備えるものとしているが、録画制御装置１００の外部に備えるものとしてもよい。
なお、ここでは、データ受信部１０３は、番組配信サーバ１０１から配信される番組データを受信し、番組情報記憶装置１０９は、番組配信サーバ１０１から配信される番組データを記憶するものとしているが、これに限らず、インターネット等を通じて受信した番組データを受信し、記憶するものとしてもよい。
【００１２】
入力Ｉ／Ｆ１０６は、リモコン等の外部入力装置１０５から、例えば、ユーザによるチャンネルの選局など、ユーザの操作等に関する指示データを受け付ける。なお、ここでは、外部入力装置１０５と入力Ｉ／Ｆ１０６とは、近距離無線通信方式を想定するが、赤外線通信、ブルートゥース（Ｂｌｕｅｔｏｏｔｈ）（登録商標）、無線ＬＡＮ等を使用してもよい。
【００１３】
演算部１０４は、プロセッサ、一次記憶装置を備え、単一あるいは複数のチャンネルに対するデコード等の処理能力を有し、外部入力装置１０５から入力されたデータに基づき、ユーザが任意に選局したチャンネルの番組のデータを、番組情報記憶装置１０９に記憶されている番組情報から選択する。また、演算部１０４は、番組情報記憶装置１０９から選択した、ユーザによって選局されたチャンネルの番組のデータに対し、デコード等の処理を行い、例えばＨＤＭＩ（登録商標：以下記載を省略する。Ｈｉｇｈ  Ｄｅｆｉｎｉｔｉｏｎ  Ｍｕｌｔｉｍｅｄｉａ  Ｉｎｔｅｒｆａｃｅ）規格に則ったデータを映像音声出力Ｉ／Ｆ１０７を介して外部表示装置１０２に表示させる。
【００１４】
また、演算部１０４は、番組情報記憶装置１０９に記憶した番組情報より電子番組表を作成し、映像音声出力Ｉ／Ｆ１０７を介して、外部表示装置１０２に表示させる。ユーザは、外部表示装置１０２に表示された電子番組表を参照することで１週間後までに放送される番組のタイトル、ジャンル、出演者といった情報を得ることができ、これらの情報を参考にして録画番組を指定することができる。
【００１５】
一方、演算部１０４は、ユーザが外部入力装置１０５にて番組の録画を指定した場合には、ユーザが選局したチャンネルの番組を、録画Ｉ／Ｆ１１３を介して録画番組記憶装置１０８に録画する。また、演算部１０４は、番組情報記憶装置１０９に記憶されている番組情報のキーワードの中から、検索条件とされたキーワードを検索し、合致する番組のデータを抽出して、録画Ｉ／Ｆ１１３を介して録画番組記憶装置１０８に自動的に録画する。
また、演算部１０４は、ユーザにより外部入力装置１０５から入力されたデータ等に基づき、録画番組記憶装置１０８に録画された番組のデータを選択し、映像音声出力Ｉ／Ｆ１０７を介して外部表示装置１０２に表示させる。
【００１６】
映像音声出力Ｉ／Ｆ１０７は、例えば、ＨＤＭＩ端子であり、演算部１０４から入力された番組情報のデータをテレビ、モニタ等の外部表示装置１０２へ出力する。
録画Ｉ／Ｆ１１３は、例えばＵＳＢ（Ｕｎｉｖｅｒｓａｌ  Ｓｅｒｉａｌ  Ｂｕｓ）端子等から構成され、演算部１０４から入力された、ユーザが外部入力装置１０５にて番組の録画を指定したチャンネルの番組のデータ、または、自動録画番組のデータを録画番組記憶装置１０８へ出力する。
【００１７】
録画番組記憶装置１０８は、ユーザが外部入力装置１０５にて指定した録画番組のデータを記憶する。また、演算部１０４が自動的に選択した録画番組のデータを記憶する。
なお、この実施の形態１では、図１に示すように、録画番組記憶装置１０８は、録画制御装置１００の外部に接続されるものとしているが、これに限らず、録画制御装置１００の内部に備えるものとしてもよい。また、ここでは、録画番組記憶装置１０８は、ＵＳＢ  ＨＤＤ（Ｈａｒｄ  Ｄｉｓｋ  Ｄｒｉｖｅ）を想定しているが、ＳＳＤ（Ｓｏｌｉｄ  Ｓｔａｔｅ  Ｄｒｉｖｅ）等別の種類の記憶装置でもよい。
【００１８】
録画番組解析部１１０は、単一あるいは複数のデコード等の処理能力を有しており、録画番組記憶装置１０８に記憶されているユーザに録画された番組を解析し、キーワードを抽出する。
ユーザ嗜好情報記憶装置１１１は、録画番組解析部１１０が抽出したキーワードを記憶する。また、嗜好推定部１１２によって推定されたキーワード毎の嗜好度を記憶する。なお、ユーザ嗜好情報記憶装置１１１は、ここでは、録画制御装置１００の内部に備えるものとしているが、録画制御装置１００の外部に備えるものとしてもよい。
【００１９】
嗜好推定部１１２は、ユーザ嗜好情報記憶装置１１１に記憶されたキーワードを元にユーザの嗜好を推定し、キーワード毎の嗜好度をユーザ嗜好情報記憶装置１１１に記憶する。
【００２０】
次に動作について、詳細に説明する。
図２は、この発明の実施の形態１に係る録画制御装置１００による自動録画の動作を説明するフローチャートである。
録画番組解析部１１０は、録画番組記憶装置１０８に記憶されているユーザに録画された番組を解析し、キーワードを抽出する（ステップＳＴ２００）。なお、キーワードの抽出は、録画番組記憶装置１０８に記憶されている番組情報から、番組のタイトル、ジャンル、出演者等を特定し、抽出することとすればよい。また、ユーザに録画された番組は、例えば人名、地名、曲名、字幕情報等の文字列情報を映像に多く含んでおり、録画番組解析部１１０は、一定の時間間隔毎に映像から一般的公知技術である文字認識手法ＯＣＲ（Ｏｐｔｉｃａｌ  Ｃｈａｒａｃｔｅｒ  Ｒｅｃｏｇｎｉｔｉｏｎ）を用いて文字列情報を抽出し、一般的な形態素解析によりキーワードに分解し、録画番組解析部１１０が、この分解したキーワードと一致するような、番組情報に含まれるキーワードを特定し、抽出するようにしてもよい。この実施の形態１では、このユーザに録画された番組に含まれるキーワードをユーザの嗜好情報とする。
なお、録画番組解析部１１０は、演算部１０４で動作してもよいし、録画番組解析部１１０が有する単一あるいは複数のデコード等の処理能力は演算部１０４と録画番組解析部１１０で共通であってもよい。
【００２１】
なお、このステップＳＴ２００における、録画番組解析部１１０によるキーワード抽出の時間間隔の長さは、目的に応じて自由に変更することができる。このキーワード抽出の時間間隔を短くすると、録画番組解析部１１０の処理量が増加する代わりに、抽出するキーワードの取りこぼしが少なくなる。
【００２２】
録画番組解析部１１０は、ステップＳＴ２００において抽出したキーワードを演算部１０４へ出力し、演算部１０４は、録画番組解析部１１０から入力されたキーワードをユーザ嗜好情報記憶装置１１１に記憶する（ステップＳＴ２０１）。
録画番組解析部１１０は、ステップＳＴ２００，ステップＳＴ２０１で１つの番組の解析完了後、すなわち、録画された１つの番組のキーワードを抽出・記憶した後、他の解析対象の番組があるかどうかを判定する（ステップＳＴ２０２）。なお、この実施の形態１では、このステップＳＴ２０２により、録画番組解析部１１０は、ユーザに録画された全番組を解析することを想定しているが、デコード等の処理能力の空きや、全番組の解析にかかる時間を考慮して、任意の録画された番組の解析をするようにしてもよい。
【００２３】
ステップＳＴ２０２において、他の解析対象の番組がある場合（ステップＳＴ２０２の“ＹＥＳ”の場合）、ステップＳＴ２００に戻る。
ステップＳＴ２０２において、他の解析対象の番組がない場合（ステップＳＴ２０２の“ＮＯ”の場合）、すなわち、ここでは、録画された全番組の解析が完了した場合、嗜好推定部１１２は、ユーザ嗜好情報記憶装置１１１に記憶されたキーワードに基づき、ユーザの嗜好を推定し、キーワード毎の嗜好度を設定してユーザ嗜好情報記憶装置１１１に記憶する（ステップＳＴ２０３）。なお、この実施の形態１では、嗜好推定部１１２は、ユーザの嗜好と合うと推定されるキーワードほど嗜好度を高い値に設定するものとする。
また、嗜好推定部１１２は、演算部１０４で動作してもよいし、嗜好推定部１１２が有する単一あるいは複数のデコード等の処理能力は演算部１０４と嗜好推定部１１２で共通であってもよい。
【００２４】
ここで、図３は、ユーザ嗜好情報記憶装置１１１に収録されている項目の一例を示す図である。
ユーザ嗜好情報記憶装置１１１には、ステップＳＴ２００〜ステップＳＴ２０２において抽出されたキーワード毎に、抽出番組数、出現回数が記憶されており、このステップＳＴ２０３において、嗜好推定部１１２が、例えば、抽出番組数、出現回数各々のパラメータに重み付けをして嗜好度を算出し、ユーザ嗜好情報記憶装置１１１に記憶する。すなわち、図３に示すように、例えば、キーワードＡについて、抽出番組数１、出現回数５回という情報に基づき、嗜好推定部１１２は嗜好度３を算出し、ユーザ嗜好情報記憶装置１１１のキーワードＡの嗜好度に設定する。
【００２５】
なお、図３は、ユーザ嗜好情報記憶装置１１１の一例を示すものであり、収録内容はこれに限らず、その他の項目を記憶しておくようにしてもよい。また、キーワード毎の嗜好度について、ここでは、嗜好推定部１１２は、パラメータに重み付けをして算出するものとしたが、これに限らず、他の方法によって嗜好度を算出するものとしてもよい。また、ここでは、上述のとおり、嗜好推定部１１２は、ユーザの嗜好と合うと推定されるキーワードほど嗜好度を高い値に設定するものとしたが、これに限らず、嗜好度は、予め設定された基準に応じて設定されるようにすればよい。
【００２６】
演算部１０４は、自動録画の検索条件とするキーワードを決定する（ステップＳＴ２０４）。具体的には、例えば、演算部１０４は、嗜好度に任意の閾値を設定し、キーワード毎に、閾値とユーザ嗜好情報記憶装置１１１に記憶された嗜好度との比較を行って、嗜好度が閾値以上であるキーワードを自動録画の検索条件とするキーワードに決定する。なお、閾値は、予め設定された値であってもよいし、ユーザが外部入力装置１０５を通して設定することができる値であってもよい。
例えば、演算部１０４は、嗜好度の閾値を１２とし、嗜好度が１２以上である番組を自動録画の対象とするものと設定したとすると、図３において、キーワードＢを自動録画の検索条件とするキーワードに決定する。
なお、ここでは、演算部１０４は、上記のように、設定された閾値以上であるかどうかによって自動録画の検索条件とするキーワードを決定するものとしたが、キーワードの決定方法はこれに限らず、適宜設定可能である。
【００２７】
演算部１０４は、番組情報記憶装置１０９を参照し、自動録画対象の番組があるかどうかを確認する（ステップＳＴ２０５）。具体的には、演算部１０４は、番組情報記憶装置１０９に記憶されている番組情報の中から、ステップＳＴ２０４で決定した検索条件のキーワードを検索し、キーワードが合致する番組があるかどうかを確認する。
ここで、図４は、番組情報記憶装置１０９に記憶された番組情報の一例を説明する図である。
ここでは、ステップＳＴ２０４において、キーワードＢが自動録画の検索条件とするキーワードに決定されたので、演算部１０４は、図４の番組情報を参照し、キーワードＢが設定されている番組ＩＤがＸとＺの番組があるため、自動録画対象ありと判断する。
【００２８】
なお、ここでは、番組情報記憶装置１０９には、図４に示すような番組情報が記憶されているものとしたが、これに限らず、他の情報を記憶しておいてもよく、番組ごとにキーワードが設定されているものであればよい。
ステップＳＴ２０５において、自動録画対象の番組がないと判断された場合（ステップＳＴ２０５の“ＮＯ”の場合）、処理終了する。
【００２９】
ステップＳＴ２０５において、自動録画対象の番組があると判断された場合（ステップＳＴ２０５の“ＹＥＳ”の場合）、演算部１０４は、ステップＳＴ２０５において、自動録画対象であると判断した番組を、番組情報記憶装置１０９から抽出し、録画Ｉ／Ｆ１１３を介して録画番組記憶装置１０８に、自動的に録画する（ステップＳＴ２０６）。具体的には、ここでは、番組ＩＤがＸとＺの番組を自動録画する。
なお、演算部１０４が自動録画する番組は、ユーザが外部表示装置１０２で現在視聴中の番組でもよいし、演算部１０４が同時に複数のチャンネルをデコードする能力を有する場合においては、外部表示装置１０２で表示されていない同時刻に放送されている番組でもよいし、時刻指定機能によって今後放送が予定されている番組であってもよい。
また、演算部１０４が自動録画する際には、録画番組記憶装置１０８の全記憶容量の任意の割合の容量を自動録画で使用できるよう制限してもよいし、この割合は、ユーザが外部入力装置１０５から設定できる値としてもよい。
【００３０】
また、ここでは、番組配信サーバ１０１から配信される番組のデータを番組情報記憶装置１０９に記憶し、演算部１０４は、番組情報記憶装置１０９から自動録画対象の番組のデータを抽出するものとするが、これに限らず、演算部１０４は、インターネット等から取得する番組情報の中から、自動録画対象の番組を特定できる場合には、取得した番組情報を番組情報記憶装置１０９に記憶することなく、録画番組記憶装置１０８に自動的に録画させるようにすることもできる。
【００３１】
さらに、自動録画した番組を、ユーザが外部入力装置１０５から保護設定できるようにしてもよく、すなわち、演算部１０４は、外部入力装置１０５からのユーザの操作による保護設定の指示情報を受信した場合、自動録画した番組を保護するようにしてもよく、保護されない番組は、任意の時間が経過する等によって自動削除されるようにしておくこともできる。
このようにすることで、必要な録画番組の情報が削除されることなく、より使い勝手のいい録画制御装置１００を提供することができる。また、容量不足により新たな録画ができなくなる可能性を低減することができる。
【００３２】
以上のように、この実施の形態１によれば、録画された番組の情報を解析し、嗜好情報を抽出する録画番組解析部１１０と、録画番組解析部１１０が抽出した嗜好情報に基づき、嗜好情報ごとに嗜好度を設定する嗜好推定部１１２と、嗜好推定部１１２が設定した嗜好度が設定された条件となる嗜好情報を、録画対象の番組を検索する際の嗜好情報とし、受信する番組のうち、録画対象の番組を検索する際の嗜好情報と合致する嗜好情報を有する番組のデータを録画対象とする演算部１０４とを備えるようにしたので、ユーザの外部入力装置１０５によるキーワード入力を必要とせず、嗜好推定部１１２は、ユーザの嗜好を推定し、演算部１０４はユーザの嗜好に合う番組を自動的に抽出し、録画するので、ユーザにおける自動録画に関する負担を軽減することが可能となる。
【００３３】
実施の形態２．
実施の形態１では、ユーザにより録画された番組からキーワードを抽出し、ユーザの嗜好を推定して、自動録画するものとしたが、この実施の形態２では、さらに、自動録画した番組に対するユーザの反応を嗜好度に反映するようにする実施の形態について説明する。
以下、この実施の形態２について、図面を参照しながら説明する。
なお、この発明の実施の形態２に係る録画制御装置１００の構成は、実施の形態１において、図１を用いて説明した構成と同様であるため重複した説明を省略する。この実施の形態２においても、実施の形態１同様、録画制御装置１００は、例えば、ＩＰ−ＳＴＢ（ＩＰセットトップボックス）とする。
【００３４】
図５は、この発明の実施の形態２に係る録画制御装置１００による自動録画、および、自動録画した番組に対するユーザの嗜好度反映の動作を説明するフローチャートである。
なお、図５のステップＳＴ２００〜ステップＳＴ２０６の動作は、実施の形態１において説明した図２のステップＳＴ２００〜ステップＳＴ２０６の動作と同様であるため、同じステップ番号を付して重複した説明を省略する。
ここでは、実施の形態１と異なる動作（ステップＳＴ５０５〜ステップＳＴ５１０）について詳細に説明する。
【００３５】
ステップＳＴ２０６において、検索条件とされたキーワードに合致する番組を自動的に録画すると、演算部１０４は、自動録画番組リストを作成し、外部表示装置１０２に表示させる（ステップＳＴ５０５）。
図６は、自動録画番組リストの一例を説明する図である。
ここでは、演算部１０４が、キーワードＡ、Ｂ、Ｄを検索条件として、番組情報記憶装置１０９の番組情報から、キーワードＡ、Ｂ、Ｄを含む番組を録画番組記憶装置１０８に自動録画したものとすると、演算部１０４は、図６に示すように、自動録画した番組ＩＤとチャンネルと放送時刻と録画の際に検索に使用したキーワードとが対応付けられた自動録画番組リストを表示させる。
そして、ユーザは、外部表示装置１０２に表示された自動録画番組リストを確認し、キーワードを参考にして、外部入力装置１０５から、再生、削除、お気に入り登録といった操作をする。
【００３６】
なお、ここでは、自動録画番組リストは図６に示すようなものとしたが、これに限らず、他の項目を収録するものとしてもよい。
また、演算部１０４が自動録画番組リストを表示させるタイミングは、例えば、外部入力装置１０５からユーザによる表示の指示を受け付けた時としてもよいし、予め設定されたタイミングで表示させるものとしてもよいし、自動録画後はじめて電源が投入された時としてもよいし、その都度としてもよく、適宜設定可能である。また、演算部１０４が自動録画番組リストに収録する自動録画された番組の情報について、録画番組記憶装置１０８に自動録画されている全ての番組としてもよいし、過去１週間以内、過去１ヶ月以内など、予め設定された期間内に自動録画された番組のみとしてもよく、適宜設定可能である。
また、ステップＳＴ５０５において、演算部１０４は、自動録画番組リストを表示させるものとしたが、これに限らず、リスト以外の方法で、自動録画した番組の内容をユーザに知らせるようにしてもよい。
【００３７】
演算部１０４は、ステップＳＴ５０５にて表示させた自動録画番組リストについて、ユーザの反応があったかどうかを判定する（ステップＳＴ５０６）。すなわち、外部入力装置１０５から、ユーザによる再生、削除、お気に入り登録等の操作を受け付けたかどうかを判定する。
ステップＳＴ５０６において、ユーザの反応がなかった場合（ステップＳＴ５０６の“ＮＯ”の場合）、すなわち、外部入力装置１０５から、ユーザによる再生、削除、お気に入り登録等の操作がなかった場合、処理終了する。
【００３８】
ステップＳＴ５０６において、ユーザの反応があった場合（ステップＳＴ５０６“ＹＥＳ”の場合）、すなわち、外部入力装置１０５からのユーザの操作による、再生、削除、お気に入り登録等の指示情報を受信した場合、ステップＳＴ５０７に進む。具体的には、例えば、図６に示した自動録画番組リストの一例を用いて説明すると、キーワードＢがユーザの嗜好に合い、キーワードＤがユーザの嗜好に合わない場合、ユーザは、外部表示装置１０２に表示された自動録画番組リストに表示されるキーワードを参照した上で、番組ＩＤがＰの番組と番組ＩＤがＱの番組に対して再生やお気に入り登録、番組ＩＤがＲの番組に対して削除する指示を外部入力装置１０５から入力する。そして、この入力を受け付けた場合、ステップＳＴ５０７へ進む。
【００３９】
嗜好推定部１１２は、ユーザの指示に従い、すなわち、外部入力装置１０５からの指示情報に応じて、ユーザ嗜好情報記憶装置１１１に記憶されているキーワードの嗜好度を変更する（ステップＳＴ５０７）。具体的には、ここでは、ステップＳＴ５０６において、番組ＩＤがＰとＱの番組対してユーザが再生やお気に入り登録を行ったので、自動録画に使用されたキーワード、すなわち、キーワードＡ，Ｂについてユーザ嗜好情報記憶装置１１１に記憶されている嗜好度を大きくする。また、番組Ｒに対してユーザが削除を行ったので、キーワードＤについてユーザ嗜好情報記憶装置１１１に記憶されている嗜好度を小さくする。なお、これは一例であり、ステップＳＴ５０７における嗜好推定部１１２によるユーザ嗜好情報記憶装置１１１に記憶されているキーワードの嗜好度の変更方法は、その他の方法であってもよい。
【００４０】
演算部１０４は、ステップＳＴ５０７において、キーワードの嗜好度を変更したことにより、変更前に設定されていた、自動録画対象の番組の検索条件となるキーワードに変更があるかどうかを判定する（ステップＳＴ５０８）。具体的には、演算部１０４は、変更されたユーザ嗜好情報記憶装置１１１の嗜好度について、再度、予め設定された嗜好度の閾値との比較を行い、閾値以上であるキーワードを自動録画の検索条件とし、変更前に設定されていた検索条件となるキーワードと差異があるかどうかを判定する。
なお、このステップＳＴ５０８において、検索条件となるキーワードを再度決定する際は、これに限らず、予め設定された嗜好度の閾値以上となるものとする以外の方法で決定することとしてもよいが、ステップＳＴ２０４で検索条件となるキーワードの決定した方法と同じ方法であることとする。
【００４１】
ステップＳＴ５０８において、検索条件となるキーワードに変更がない場合（ステップＳＴ５０８の“ＮＯ”の場合）、処理終了する。
ステップＳＴ５０８において、検索条件となるキーワードに変更があった場合（ステップＳＴ５０８の“ＹＥＳ”の場合）、演算部１０４は、ステップＳＴ５０８にて再設定したキーワードを、自動録画対象の番組の検索条件とする（ステップＳＴ５０９）。
演算部１０４は、ステップＳＴ５０９で自動録画対象の番組の検索条件とされたキーワードで自動録画対象の番組があるかどうかを判定する（ステップＳＴ５１０）。具体的には、演算部１０４は、番組情報記憶装置１０９に記憶されている番組情報のキーワードの中から、検索条件とされたキーワードを検索し、合致する番組があるかどうかを判定する。
【００４２】
ステップＳＴ５１０において、自動録画対象の番組があると判断された場合（ステップＳＴ５１０の“ＹＥＳ”の場合）、ステップＳＴ２０６に戻り、演算部１０４は、自動番組録画を実行する。
ステップＳＴ５１０において、自動録画対象の番組がないと判断された場合（ステップＳＴ５１０の“ＮＯ”の場合）、処理終了する。
【００４３】
なお、この実施の形態２においても、実施の形態１同様、自動録画した番組を、ユーザが外部入力装置１０５から保護設定できるようにしてもよく、すなわち、演算部１０４は、外部入力装置１０５からのユーザの操作による保護設定の指示情報を受信した場合、自動録画した番組を保護するようにしてもよく、保護されない番組は、任意の時間が経過する等によって自動削除されるようにしておくことができる。
【００４４】
以上のように、この実施の形態２によれば、嗜好推定部１１２は、指示情報に応じて嗜好度を変更するようにしたので、ユーザの外部入力装置１０５によるキーワード入力を必要とせず、嗜好推定部１１２は、ユーザの嗜好を推定し、演算部１０４はユーザの嗜好に合う番組を自動的に抽出、録画し、ユーザにおける自動録画の負担を軽減することが可能となることに加え、さらに、自動録画された番組に対するユーザの反応を嗜好度に反映させることで、ユーザの嗜好の推定の精度が向上する。
【００４５】
なお、この実施の形態１，２において、録画制御装置１００は、図１で示すような構成としたが、録画制御装置１００は、録画番組解析部１１０と、演算部１０４と、嗜好推定部１１２とを備える構成であればよい。
また、録画番組記憶装置１０８、番組情報記憶装置１０９、ユーザ嗜好情報記憶装置１１１は、録画制御装置１００が備えるものとしてもよいし、録画制御装置１００の外部に備えるものとしてもよい。
【００４６】
なお、本願発明はその発明の範囲内において、各実施の形態の自由な組み合わせ、あるいは各実施の形態の任意の構成要素の変形、もしくは各実施の形態において任意の構成要素の省略が可能である。
また、各実施の形態１，２における録画制御装置１００の制御に用いられる各部は、ソフトウェアに基づくＣＰＵを用いたプログラム処理によって実行される。
また、各実施の形態１，２における録画番組記憶装置１０８、番組情報記憶装置１０９、ユーザ嗜好情報記憶装置１１１は、ＨＤＤ、ＤＶＤ、メモリなどによって構成される。
【符号の説明】
【００４７】
１００  録画制御装置、１０１  番組配信サーバ、１０２  外部表示装置、１０３データ受信部、１０４  演算部、１０５  外部入力装置、１０６  入力Ｉ／Ｆ、１０７  映像音声出力Ｉ／Ｆ、１０８  録画番組記憶装置、１０９  番組情報記憶装置、１１０  録画番組解析部、１１１  ユーザ嗜好情報記憶装置、１１２  嗜好推定部。
【図１】
2015220541.tif 000003
【図２】
2015220541.tif 000004
【図３】
2015220541.tif 000005
【図４】
2015220541.tif 000006
【図５】
2015220541.tif 000007
【図６】
2015220541.tif 000008